(57)【要約】【課題】  未活用空間を生じさせることがなく、施工性に優れたエレベータ装置を提供すること。【解決手段】  縦フレーム２と、縦フレーム２の下端から横方向に突設した横フレーム３を有するプラットホーム４にかご室５を載置して昇降路６内を上下に昇降させるエレベータ装置１であって、昇降路６はプラットホーム４を取り囲むように４隅に立設された断面がＬ字状のガイドレール７によって形成されるとともに、プラットホーム４にはガイドレール７の両辺の内側面と当接する位置にガイドローラ８が設けられてなるようにする。【選択図】図１
2005335872.tif 000002
【特許請求の範囲】
【請求項１】
縦フレームと、縦フレームの下端から横方向に突設した横フレームを有するプラットホームにかご室を載置して昇降路内を上下に昇降させるエレベータ装置であって、
前記昇降路はプラットホームを取り囲むように４隅に立設されたガイドレールによって形成されるとともに、前記プラットホームには前記ガイドレール内側面と当接する位置にガイドローラが設けられてなることを特徴とするエレベータ装置。
【請求項２】
前記昇降路の周囲において、ガイドレールの外側に壁パネルが設けられてなることを特徴とする請求項１に記載のエレベータ装置。
【請求項３】
前記ガイドレールは断面がＬ字状であるとともに、縦フレームの上端の両隅部と横フレームの先端の両隅部には、それぞれガイドローラが前記Ｌ字状のガイドレールの両辺の内側面に当接するように設けられてなることを特徴とする請求項１又は請求項２に記載のエレベータ装置。
【請求項４】
前記ガイドレールの外側面には、取り付け用の下地木部材が設けられてなることを特徴とする請求項１乃至請求項３のいずれかに記載のエレベータ装置。
【発明の詳細な説明】
【技術分野】
【０００１】
本発明は、住宅等の建物に設置されるエレベータ装置に関するものである。
【背景技術】
【０００２】
従来より、住宅等の建物に設置されるエレベータ装置２１として、例えば、図３に示すようなものがある。
【０００３】
このようなエレベータ装置２１においては、油圧ユニット２２と、この油圧ユニット２２により上下に伸縮駆動されるジャッキ２３が備えられている。そして、ジャッキ２３の伸縮駆動に連動して、昇降路２４内においてかご室２５をガイドレール３０に沿って上下に昇降させるようになっている。
【０００４】
かご室２５は、図４に示すようなプラットホーム２６に載置される。プラットホーム２６は、縦フレーム２７と、縦フレーム２７の下端から横方向に突設した横フレーム２８からなり、縦フレーム２７にジャッキ２３の先端部が固着されている。縦フレーム２７の左右側部にはそれぞれ２箇所ずつガイドローラ部２９が設けられており、このガイドローラ部２９を介してプラットホーム２６がガイドレール３０に案内支持されるようになっている。また、ガイドレール３０は、ガイドレールブラケット３１を介して建物側梁３２に固定されている。
【０００５】
ここで、図５に示すように、各ガイドローラ部２９にはそれぞれ３つのガイドローラ３３が備えられており、ガイドレール３０を三方から挟み込むようにしてガイドローラ３３をガイドレール３０に当接させることによってプラットホーム２６を案内支持する構成について、特許文献１に開示されている。
【特許文献１】特開平５−３３８９５６公報
【発明の開示】
【発明が解決しようとする課題】
【０００６】
しかしながら、上記従来のエレベータ装置２１においては、ガイドレール３０をガイドレールブラケット３１を介して建物側梁３２に固定するため、建物側梁３２と昇降路２４との間に未活用空間３４が生じていた。
【０００７】
本発明は、かかる事由に鑑みてなしたもので、その目的とするところは、未活用空間を生じさせることがなく、施工性に優れたエレベータ装置を提供することにある。
【課題を解決するための手段】
【０００８】
上記課題を解決するために、本発明では、第１には、縦フレームと、縦フレームの下端から横方向に突設した横フレームを有するプラットホームにかご室を載置して昇降路内を上下に昇降させるエレベータ装置であって、前記昇降路はプラットホームを取り囲むように４隅に立設されたガイドレールによって形成されるとともに、前記プラットホームには前記ガイドレール内側面と当接する位置にガイドローラが設けられてなるようにする。
【０００９】
第２には、前記昇降路の周囲において、ガイドレールの外側に壁パネルが設けられてなるようにする。
【００１０】
第３には、前記ガイドレールは断面がＬ字状であるとともに、縦フレームの上端の両隅部と横フレームの先端の両隅部には、それぞれガイドローラが前記Ｌ字状のガイドレールの両辺の内側面に当接するように設けられてなるようにする。
【００１１】
第４には、前記ガイドレールの外側面には、取り付け用の下地木部材が設けられてなるようにする。
【発明の効果】
【００１２】
上記本発明の第１のエレベータ装置では、プラットホームを取り囲むように４隅に立設されたガイドレールによって昇降路が形成されるので、プラットホームを安定して案内支持することができる。また、昇降路を建物駆体に密接して設けることができるので、未活用空間を減少させることができる。
【００１３】
上記本発明の第２のエレベータ装置では、上記第１のエレベータ装置と同様の効果が得られ、また、壁パネルにより見栄え良くすることができるとともに、昇降路の強度を向上させることができる。
【００１４】
上記本発明の第３のエレベータ装置では、上記第１のエレベータ装置と同様の効果が得られ、また、プラットホームをより安定して案内支持することができるようになる。
【００１５】
上記本発明の第４のエレベータ装置では、上記第１のエレベータ装置と同様の効果が得られ、また、ガイドレール外側への壁パネルの取り付けや、ガイドレールの建物駆体への取り付けが容易となり、施工性が向上する。
【発明を実施するための最良の形態】
【００１６】
本発明の実施形態におけるエレベータ装置１について、図１、２に基づいて説明する。本実施形態におけるエレベータ装置１は、縦フレーム２と、縦フレーム２の下端から横方向に突設した横フレーム３を有するプラットホーム４にかご室５を載置して昇降路６内を上下に昇降させるものであり、昇降路６はプラットホーム４を取り囲むように４隅に立設されたガイドレール７によって形成されるとともに、プラットホーム４にはガイドレール７内側面と当接する位置にガイドローラ８が設けられている。
【００１７】
ガイドレール７は断面がＬ字状であるとともに、プラットホーム４の４隅に内側面を対向させた状態で上下方向に立設されている。
【００１８】
縦フレーム２の上端の両隅部と横フレーム３の先端の両隅部には、ガイドローラ部１１を設けている。各ガイドローラ部１１においては、回転軸が互いに直交する２つのガイドローラ８を、それぞれガイドローラ面がＬ字状のガイドレール７の両辺の内側面に当接するようにして設けている。
【００１９】
昇降路６の周囲において、ガイドレール７の外側は壁パネル１２により包囲されており、昇降路６は壁パネル１２を介して建物駆体１３に密接して設けられている。また、必要によっては、壁パネル１２の外側面に壁面仕上げ材を取り付けることにより、簡単な施工で意匠性を高めることができる。ここで、ガイドレール７の外側面には、取り付け用の下地木部材９が取り付けられており、壁パネル１２と下地木部材９を木ネジ（図示せず）により固定している。なお、下地木部材９を介してガイドレール７を直接建物駆体１３に取り付けてもよい。
【００２０】
プラットホーム４の縦フレーム２には、ジャッキ１０の先端部が固着されている。ジャッキ１０は昇降路６の下方に設けられた油圧ユニット（図示せず）により上下に伸縮駆動される。
【００２１】
このようにして、プラットホーム４に設けられたガイドローラ８がガイドレール７の両辺の内側面に当接した状態で、プラットホーム４に載置されたかご室５が昇降路６内を上下に昇降する。即ち、プラットホーム４が前後左右のどの方向に振動したとしても、それぞれ対応するガイドローラ８の介在によりプラットホーム４がスムーズにガイドレール７に沿って移動することができる。その結果、かご室５に積載される人や荷物等を良好に運搬することができるのである。
【００２２】
以上のように、本実施形態におけるエレベータ装置１は、昇降路６がプラットホーム４を取り囲むように４隅に立設されたガイドレール７によって形成されるとともに、プラットホーム４にはＬ字状のガイドレール７の両辺の内側面と当接する位置にガイドローラ８が設けられているので、プラットホーム４を安定して案内支持することができる。
【００２３】
また、昇降路６を建物駆体１３に密接して設けることができるので、未活用空間を減少させることができる。
【００２４】
また、昇降路６の周囲において、ガイドレール７の外側は壁パネル１２により包囲されているので、見栄え良くすることができるとともに、昇降路６の強度を向上させることができる。
【００２５】
また、壁パネル１２の外側面に壁面仕上げ材を取り付けることによって昇降路６の壁面仕上げを行うことができるので、簡単な施工で意匠性を高めることができる。
【００２６】
また、ガイドレール７の外側面には下地木部材９が設けられているので、ガイドレール７外側への壁パネル１２の取り付けや、ガイドレール７の建物駆体１３への取り付けが容易となり、施工性が向上する。
【図面の簡単な説明】
【００２７】
【図１】本発明の実施形態におけるエレベータ装置１の部分切欠斜視図である。
【図２】同実施形態における昇降路６の周囲の横断面図である。
【図３】従来のエレベータ装置２１の斜視図である。
【図４】従来のエレベータ装置２１の要部の斜視図である。
【図５】従来のエレベータ装置２１におけるガイドローラ部２９を示す一部断面した平面図である。
【符号の説明】
【００２８】
１  エレベータ装置
２  縦フレーム
３  横フレーム
４  プラットホーム
５  かご室
６  昇降路
７  ガイドレール
８  ガイドローラ
９  下地木部材
１０  ジャッキ
１１  ガイドローラ部
１２  壁パネル
【図１】
2005335872.tif 000003
【図２】
2005335872.tif 000004
【図３】
2005335872.tif 000005
【図４】
2005335872.tif 000006
【図５】
2005335872.tif 000007